(57)【要約】【課題】簡単に伸縮変形可能で多機能なごろ寝ソファを提供する。【解決手段】ごろ寝ソファは本体とスライド部とクッションからなり、互いに分離させ、床板とスライド床板を等間隔あけて固定することでスライド部を遊嵌にし、スライド部を本体側に櫛歯状に嵌合することでソファの奥行の可変を実現するとともに、クッションは座クッションと背クッションを接合しているため、スライド部伸長時にクッションは相対的にほぼ水平の座面に変位し、ゆったりくつろげるごろ寝ソファを形成する。【選択図】図１
2019126687.tif 000002
【特許請求の範囲】
【請求項１】
本体とスライド部とクッションからなるごろ寝ソファにおいて、本体は板状の側面と背凭れと床板と脚が一体になった構造、スライド部はスライド床板と前板とスライド脚が一体になった構造であって、それぞれの床板又は本体の背凭れに接地したクッションを具備していることを特徴とするごろ寝ソファ。
【請求項２】
請求項１記載のそれぞれの床板において等間隔に配置することを特徴としたごろ寝ソファ。
【請求項３】
請求項１記載のスライド部は平行にスライドさせることで水平変位し、本体と櫛歯状に嵌合することを特徴としたごろ寝ソファ。
【請求項４】
請求項１記載のクッションは背クッションと座クッションが接合しており、請求項２又は３記載のスライド部の前板を前方に水平変位させると、本体の背凭れに接地していた背クッションも相対的に変位することで、奥行きの深いほぼ水平の座面になることを特徴としたごろ寝ソファ。
【発明の詳細な説明】
【技術分野】
【０００１】  ごろ寝ソファの座面部に伸縮可能な機能を有することで、脚を伸ばしたり横になったりしてくつろげるソファ、又はベッドとしても使用できるごろ寝ソファに関する。
【背景技術】
【０００２】  通常、ソファにおいて脚を伸ばしてゆったり座りたい場合、オットマン又はカウチソファを購入しなければならない。【０００３】  また、ソファからベッドに変形するソファベッドは市場に多数存在するが、その大半は回動式又は可動式である。
【先行技術文献】
【特許文献】
【０００４】
【特許文献１】特開平７−２９８９５０
【特許文献２】特開２０１６−９３４００
【発明の概要】
【発明が解決しようとする課題】
【０００５】  近年、住宅の狭小化から置ける家具も限られてきており、脚を伸ばしてソファでくつろぐとなると、オットマンやカウチソファを追加購入せざるを得なく、空間的制約や経済的負担が発生するので、１つのソファで複数の体験できることにある。【０００６】  また、特許文献１のような従来の回動式のソファベッドは、金具による騒音、且つ壊れた際の修理や回動させるときの壁から離す煩雑性の問題があったが、構造を見直すことで静音性・作業性の向上を享受できる。【０００７】  また、特許文献２のような可動式のソファベッドは、ヒンジによる意匠性の悪化、可動部分の下が空洞の引出しであるため強度不足が懸念されるが、構造を見直すことで意匠性・強度不足を解決する。
【課題を解決するための手段】
【０００８】  本体とスライド部とクッションからなるごろ寝ソファにおいて、本体は板状の側面と背凭れと床板と脚が一体になった構造、スライド部は床板と前板とスライド脚が一体になった構造であって、それぞれの床板又は本体の背凭れに接地したクッションを具備しているごろ寝ソファにある。【０００９】  それぞれの床板においては等間隔をあけて配置することが好ましく、スライド部はスライドさせることで平行に変位し、本体と櫛歯状に嵌合可能なごろ寝ソファにある。【００１０】  クッションは背クッションと座クッションが接合しており、例えばスライド部の前板を前方に水平変位させると、本体の背凭れに接地していた背クッションも相対的に変位することで、奥行きの深いほぼ水平の座面になるごろ寝ソファにある。
【発明の効果】
【００１１】  上述のように、ごろ寝ソファに伸縮可能な構造を有することでソファとしての多機能化を図り、小スペース化・経済的負担の軽減を実現できる。【００１２】  多機能の具体的内容は、伸ばした状態では脚を伸ばしてゆったりくつろいだり、ゴロゴロしたり、横になってベッドとして睡眠体息を取ったりでき、来客など有事の際には縮めることでスペースを確保できる。【００１３】  且つ、前側から伸縮作業ができることで作業性の向上、スライド構造にしたことで金具を用いず静音性が期待でき、本体・スライド部双方ともに床板構造なので強度も充分期待できる。
【図面の簡単な説明】
【００１４】
【図１】本発明に係るごろ寝ソファ伸長時の斜視図である。
【図２】ごろ寝ソファ伸縮時の斜視図である。
【図３】クッションの斜視図である。
【図４】クッションを置いたごろ寝ソファ伸長時の側面図である。
【図５】クッションを置いたごろ寝ソファ伸縮時の側面図である。
【発明を実施するための形態】
【００１５】  以下、本発明に係るごろ寝ソファの実施の形態について図面を参照にして説明する。尚、各図において、同一部分ないし相当する部分には、同一の符号を付してある。
【００１６】  図１〜図５に示すごろ寝ソファは、本体１と伸縮可能なスライド部２とクッション３の大きく分けて３つで構成し、互いに分離させることで可動・相対変位可能にしている。
【００１７】  図１において、本体１は板状の背凭れ４、幕板５を側面６で挟み込み、床板７は幕板５とサン木８の上に等間隔あけてほぼ水平に載架することで固定し、脚９は隅木１０や中貫１１を通じてボルト１２にて固定している。
【００１８】  図１において、スライド部２は前板１３とスライド床板１４、スライド前脚１５とスライド横脚１６で構成し、スライド床板１４はこちらも等間隔をあけて固定している。
【００１９】  これら本体１とスライド部２は互いに分離しており、床板７とスライド床板１４は等間隔をあけているため互いに遊嵌状態となり、スライド部２を水平に平行移動させることで櫛歯状に嵌合できる。
【００２０】  図２の状態から図１の状態へ変更する操作は以下の通りである。
【００２１】  スライド部２の前板１３の下部を掴み、前方（図２矢印方向）に平行にスライド床板１４の裏に取り付けたストッパーに当たるまでスライドさせる。
【００２２】  クッション３は座クッション３ａと背クッション３ｂを接合しているので、スライド部２を前方に水平移動させることで相対的に変位し、床板７とスライド床板１４の上でほぼ水平状態を保ち、図４のような奥行の深い座面を持つごろ寝ソファに変形する。
【００２３】  逆に図１の状態から図２の状態へ変更する作業は以下の通りである。
【００２４】  ごろ寝ソファに載せたクッション３の背クッション３ｂ側から手前方向へ起こし折りたたみ、前板１３の中央部を掴み後方（図１矢印方向）へスライド横脚１６が脚９に接するまで平行に嵌合し、背クッション３ｂを背凭れ４に接地させることで図５のようなコンパクトなソファに変形する。
【符号の説明】
【００２５】１    本体
２    スライド部
３    クッション
３ａ  座クッション
３ｂ  背クッション
４    背凭れ
５    幕板
６    側面
７    床板
８    サン木
９    脚
１０  隅木
１１  中貫
１２  ボルト
１３  前板
１４  スライド床板
１５  スライド前脚
１６  スライド横脚
【図１】
2019126687.tif 000003
【図２】
2019126687.tif 000004
【図３】
2019126687.tif 000005
【図４】
2019126687.tif 000006
【図５】
2019126687.tif 000007